(57)【特許請求の範囲】
【請求項１】
旋回スクロール及び固定スクロールを有し、前記旋回スクロール及び前記固定スクロールにより形成された圧縮室に吸入した作動流体を圧縮する圧縮機構部と、
前記圧縮機構部を収納すると共に、前記圧縮室で圧縮された作動流体が吐出される吐出圧室を有する密閉容器と、を備え、
前記固定スクロールは、前記圧縮室の圧力が設定圧力より上昇すると、前記圧縮室と前記吐出圧室とを連通するように開路するリリース弁装置を有し、
前記リリース弁装置は、前記圧縮室と前記吐出圧室とを連通するリリース流路と、前記リリース流路を開閉するリリース弁と、前記リリース弁とリテーナとの間に配置され前記リリース弁に弾性押圧力を付与する弁押圧体と、前記弁押圧体の移動範囲を制限する前記リテーナと、を有し、
前記固定スクロールと前記リテーナとの間には隙間を有し、
前記リリース弁が前記リリース流路を閉じた状態及び前記リリース流路を開いた状態の何れの状態においても、前記弾性押圧力により前記弁押圧体が前記リテーナに押し付けられるスクロール圧縮機。
【請求項２】
請求項１において、前記リリース弁は前記弁押圧体の荷重及び前記弾性部の前記弾性押圧力を受けるスクロール圧縮機。
【請求項３】
請求項２において、前記リリース流路は、前記圧縮室に連通されたリリース穴と、前記リリース穴及び前記吐出圧室に連通され且つ前記リリース穴より大径に形成されたリリース弁室と、を備え、
前記弁押圧体は、前記リリース弁室に配置され、前記リリース弁室内の移動をガイドするガイド部と、前記弾性押圧力を発生する弾性部と、を備えるスクロール圧縮機。
【請求項４】
請求項３において、前記ガイド部は、前記吐出圧室の設定圧力以上に圧縮された前記作動流体を前記リリース穴から前記吐出圧室に逃がす通路を有するスクロール圧縮機。
【請求項５】
請求項３又は４において、前記ガイド部を鉄系焼結合金，アルミ合金、又は樹脂で形成したスクロール圧縮機。
【請求項６】
請求項３において、前記弾性部は前記ガイド部に装着されたコイルばねであるスクロール圧縮機。
【請求項７】
請求項３又は６において、前記弾性部を構成するコイルばねの両端に密着巻きを有するスクロール圧縮機。
【請求項８】
請求項１において、前記圧縮機構部に形成される複数の圧縮室に対応して前記固定スクロールの複数箇所に前記リリース弁装置が設けられ、これら複数の前記リリース弁装置に対応するリテーナを同一部材で構成したスクロール圧縮機。
【請求項９】
請求項１において、前記リテーナは炭素鋼材で形成され、前記リテーナの前記弁押圧体と摺動する面に窒化処理を施したスクロール圧縮機。
【発明の詳細な説明】
【技術分野】
【０００１】
本発明は冷凍空調機器等に用いられるスクロール圧縮機に関する。
【背景技術】
【０００２】
ルームエアコン等に用いられるスクロール圧縮機は広範囲の運転条件で使用されるため、冷媒ガスの過圧縮や、冷媒，冷凍機油の液圧縮の状態で運転することが避けられない。そのため、これに耐える構造のスクロール圧縮機が求められる。
【０００３】
特許文献１は、過圧縮や液圧縮を防止する従来のスクロール圧縮機を開示する。以下、特許文献１のスクロール圧縮機について説明する。吸入口と排出口とを有する密閉容器内に、吐出圧室が形成される。この吐出圧室内には、電動機と圧縮機構部とが収納される。圧縮機構部は、渦巻状のガス通路を有する固定スクロールと、この固定スクロールに相対向して移動可能に配置され渦巻状のラップを有する旋回スクロールとが噛み合わされて、圧縮室を形成する。旋回スクロールは、旋回スクロールの自転を阻止しながら公転運動をさせるオルダムリングに連結されるとともに、電動機により回転駆動されるクランク軸の偏心部にも連結される。
【０００４】
電動機の駆動によって、旋回スクロールを旋回させながら、吸入口から吸込んだ冷媒を、固定スクロールと旋回スクロールとで構成する圧縮室に導いて順次圧縮する。圧縮された冷媒は、固定スクロールの吐出口から吐出圧室に排出する。その後、吐出圧室に排出された冷媒は、密閉容器の排出口から排出する。このスクロール圧縮機には、固定スクロールの上部の台板に、圧縮室と吐出圧室とを連繋するリリース弁装置が設けられる。
【０００５】
このリリース弁装置は、リリース穴，弁シート部，リリース弁室，ブッシュ圧入部が連続して形成され、且つそれらの中心線が同心となるように形成される。更に、リリース弁装置は、弁シート部にリリース弁を当接し、ブッシュのスプリング係止部に係止したスプリングをリリース弁の上面に当接し、ブッシュをブッシュ圧入部に圧入する。これにより、弁シート部にリリース弁が常時押し付けられる。また、ブッシュには、過圧縮されたガスや液体を排出する圧力逃がし穴が開口される。
【０００６】
このリリース弁装置は、圧縮行程の途中で、圧縮室内の圧力が吐出圧力以上になる過圧縮時や、運転時の温度条件などによって吸込口より液冷媒が吸込まれる液圧縮時等に、スプリングが圧縮されてリリース弁が開く。リリース弁が開くのは、設定圧力（吐出圧力＋リリース弁の重量＋スプリングの弾性押圧力）以上に過圧縮された場合である。リリース弁が開くことによって、吐出圧室の設定圧力以上に上昇したガスや液冷媒は、圧縮室内から吐出圧室に排出される。このような構造により、固定スクロールと旋回スクロール間の過圧縮損失の低減とラップの損傷を防止できる。
【０００７】
なお、旋回スクロールの回転に伴って、吐出圧力以下の圧力の圧縮室がその後リリース穴に連通すると、スプリングが伸びてリリース弁が閉じる。過圧縮時や液圧縮時には、このような状態が繰り返される。
【０００８】
特許文献２は、過圧縮や液圧縮を防止する他の従来のスクロール圧縮機を開示する。このスクロール圧縮機は、旋回スクロール及び固定スクロールを噛み合わせて圧縮室を形成し、圧縮室に吸入した作動流体を圧縮する圧縮機構部と、圧縮機構部を収納すると共に圧縮室で圧縮された作動流体が吐出される吐出圧室を形成する密閉容器とを備える。圧縮室の圧力が設定圧力より上昇すると圧縮室と吐出圧室とを連通するように開路するリリース弁装置が、固定スクロールに有する。
【０００９】
リリース弁装置は、圧縮室と吐出圧室とを連通するように固定スクロールに形成されたリリース流路と、リリース流路を開閉するように設けられたリリース弁と、リリースが閉じられる際にそれに弾性押圧力を付加する弁押圧体と、弁押圧体の移動範囲を制限するリテーナとを備える。弁押圧体はリリース弁とリテーナとの間に配置され、リリース弁がリリース流路を閉じた状態でフリーになり且つリリース弁がリリース流路を開いた状態で圧縮される弾性部を有する。
【００１０】
リリース弁が開放するための設定圧力として、特許文献１のスクロール圧縮機においてブッシュの圧入によりリリース弁へ常時負荷されていた弾性部材の弾性押圧力をなくすことができる。代りに弁押圧体（弾性部材とガイド部材）の自重のみが負荷されるので、リリース弁を開放する設定圧力を格段に下げることができる。つまり、リリース弁の開き遅れによる圧縮室内の圧力上昇分の電動機負荷の低減が図られ、圧縮機性能を向上することができる。また、ブッシュ圧入穴や弾性部材のばね定数等の製作精度のばらつきによるリリース弁が開く圧力の変動をなくして、圧縮機性能のばらつきをなくすことができる。従って、弁押圧体を構成するガイド部材と弾性部材の重量を管理するのみでよく、リリース弁が開放する設定圧力の安定化を図ることができ、安定した性能のスクロール圧縮機を提供することができる。
【先行技術文献】
【特許文献】
【００１１】
【特許文献１】特開２００２−２２１１７１号公報
【特許文献２】特開２００６−９７８１号公報
【発明の概要】
【発明が解決しようとする課題】
【００１２】
特許文献１のスクロール圧縮機のリリース弁装置では、ブッシュはブッシュ圧入部に圧入されるため、固定スクロールに圧縮応力が発生して渦巻側への変形が生じ、信頼性や性能面での課題がある。また、ブッシュ圧入部の製作時における深さ精度のばらつき、ブッシュの圧入時における位置精度のばらつきなどにより、スプリングの押し付け力が変化する。従って、リリース弁が開く圧力に大きなばらつきが発生し、安定したリリース弁機能を量産的に得ることが困難である。
【００１３】
特許文献２のスクロール圧縮機のリリース弁装置では、リリース弁がリリース流路を閉じた状態で弁押圧体がフリーになることから、ガイド部での弁押圧体の上下方向の動きが容易に起こりやすい。従って、リテーナと弁押圧体との衝突音が発生するほか、衝突によるリテーナ又は弁押圧体の変形により強度が不足して信頼性が低下するという課題が生じる。
【００１４】
本発明は、リリース弁装置を設置した際の弁押圧体の圧入による固定スクロールへの変形を抑制するとともに、衝突によるリテーナ及び弁押圧体の変形や衝突音を抑制して、スクロール圧縮機の性能及び信頼性を高めることを課題とする。
【課題を解決するための手段】
【００１５】
上記課題を解決するため、本発明のスクロール圧縮機は、旋回スクロール及び固定スクロールを有し、旋回スクロール及び固定スクロールにより形成された圧縮室に吸入した作動流体を圧縮する圧縮機構部と、圧縮機構部を収納すると共に、圧縮室で圧縮された作動流体が吐出される吐出圧室を有する密閉容器と、を備え、固定スクロールは、圧縮室の圧力が設定圧力より上昇すると、圧縮室と吐出圧室とを連通するように開路するリリース弁装置を有し、リリース弁装置は、圧縮室と吐出圧室とを連通するリリース流路と、リリース流路を開閉するリリース弁と、リリース弁とリテーナとの間に配置されリリース弁に弾性押圧力を付与する弁押圧体と、弁押圧体の移動範囲を制限するリテーナと、を有し、固定スクロールとリテーナとの間には隙間を有し、リリース弁がリリース流路を閉じた状態及びリリース流路を開いた状態の何れの状態においても、弾性押圧力により弁押圧体がリテーナに押し付けられる。
【発明の効果】
【００１６】
本発明によれば、リリース弁装置を設置した際の弁押圧体の圧入による固定スクロールへの変形を抑制するとともに、衝突によるリテーナ及び弁押圧体の変形や衝突音を抑制して、スクロール圧縮機の性能及び信頼性を高めることができる。
【図面の簡単な説明】
【００１７】
【図１】スクロール圧縮機の断面図。
【図２】図１のＡ−Ａ線に沿った圧縮機構部の横断面図。
【図３】図１のリリース弁装置における閉路状態の拡大断面図。
【図４】図３のリリース弁装置における開路状態の拡大断面図。
【図５】図１の固定スクロールの平面図。
【図６】図１の弁押圧体の平面図。
【図７】リテーナの窒化処理の説明図。
【発明を実施するための形態】
【００１８】
以下、本発明の実施例を、図１〜図７を用いて説明する。図１は縦型のスクロール圧縮機１の断面図である。スクロール圧縮機１の密閉容器２内部には、電動機４と、固定スクロール５と電動機４により駆動される旋回スクロール６とを噛み合わせて構成し冷媒を圧縮するスクロール圧縮機構部３と、旋回スクロール６を固定スクロール５に対して自転させずに旋回運動させるように固定スクロール５とフレーム９との間で支持案内する自転規制部材であるオルダムリング１２と、を有する。
【００１９】
図２は図１のＡ−Ａ線に沿った圧縮機構部の横断面図である。旋回スクロール６は、クランク軸７を介して電動機４の回転を受け、オルダムリング１２に規制されながら旋回駆動する。吸入口５ａより吸込まれた冷媒ガスは圧縮されて、吐出口５ｅから吐出圧力空間である密閉容器２内に吐出され、密閉容器２内の冷媒は排出口２ｅより密閉容器２外部へ排出される。排出された冷媒は、冷凍サイクル内を循環して吸入口２ｄから再び吸入口５ａへ吸込まれる。密閉容器２は、円筒状のケース２ａに蓋チャンバ２ｂと底チャンバ２ｃが上下に溶接される。
【００２０】
図１に示すスクロール圧縮機１はいわゆる高圧チャンバタイプの圧縮機であり、鉄製の密閉容器２の内部は排出口２ｅに連通する高圧雰囲気となる。電動機４の回転とともに固定スクロール５中央の吐出口５ｅより密閉容器２上部へ冷媒ガスが吐出される。固定スクロール５と噛み合って圧縮室１１を形成する旋回スクロール６は、渦巻状の旋回スクロールラップ６ａと旋回軸とを直立させたラップ支持円盤とから構成される。固定スクロール５は、台板５ｄと渦巻状の固定スクロールラップ５ｃとから構成され、固定スクロールラップ５ｃの中央部に吐出口５ｅ、外周部に吸入口５ａが配置される。
【００２１】
次に、リリース弁装置１５に関して図３〜図６を用いて説明する。図３は図１のリリース弁装置１５における閉路状態の拡大断面図、図４は図３のリリース弁装置１５における開路状態の拡大断面図、図５は図１の固定スクロールの平面図、図６は図１の弁押圧体の平面図である。
【００２２】
リリース弁装置１５は、圧縮室１１内の圧力が吐出圧力以上になったとき、圧縮室１１から吐出圧室２ｆに吐出するための装置である。リリース弁装置１５は、圧縮機構部３に形成される複数の圧縮室１１に対応して、固定スクロール５の複数箇所に設置される（図５参照）。
【００２３】
リリース弁装置１５は通常は閉路されていて、吸入口２ｄからガス冷媒又はルームエアコン等の運転条件によっては液冷媒やミスト状の潤滑油１３等が作動流体として圧縮室１１に吸入される。旋回スクロール６の旋回運動によって作動流体が圧縮される過程で、圧縮室１１内の圧力が吐出圧力以上になると、リリース弁装置１５は開路して、圧縮室１１と吐出圧室２ｆとを連通する。
【００２４】
図３及び図４に示すように、リリース弁装置１５は、リリース流路１５ｉ，リリース弁１５ｄ，弁押圧体１５ｈ、及びリテーナ１６を備える。リリース流路１５ｉは、リリース穴１５ａ及びリリース弁室１５ｃから構成され、圧縮室１１と吐出圧室２ｆとを連通するように固定スクロール５の台板５ｄに形成される。リリース弁１５ｄによりリリース流路１５ｉが開閉される。
【００２５】
弁押圧体１５ｈは、リリース弁室１５ｃ内の移動をガイドするガイド部と、弾性押圧力を発生する弾性部とを備える。弁押圧体１５ｈは、リリース弁室１５ｃ内であってリリース弁１５ｄとリテーナ１６との間に配置され、リリース弁１５ｄに弾性押圧力を付加する。リテーナ１６は、弁押圧体１５ｈの移動範囲を制限し、弁押圧体１５ｈを所定の位置であるリリース弁室１５ｃ内に保持する。
【００２６】
圧縮室１１に連通するリリース穴１５ａと、円環状の弁シート１５ｂと、吐出圧室２ｆに連通するリリース弁室１５ｃとが固定スクロール５に連続して形成され、圧縮室１１と吐出圧室２ｆとを結ぶリリース流路１５ｉを構成する。リリース穴１５ａが小径に、リリース弁室１５ｃが大径にそれぞれ形成され、リリース弁室１５ｃの段部に弁シート１５ｂが形成される。
【００２７】
即ち、リリース穴１５ａと弁シート１５ｂとリリース弁室１５ｃとは固定スクロール５の台板５ｄの厚さ方向の領域に形成される。リリース穴１５ａの容積は圧縮室１１の容積の一部となり、圧縮行程で残ったガスの再膨張損失を伴うデッドボリュームとなるため、リリース穴１５ａの容積（内径寸法や長さ寸法）は極力小さくする。
【００２８】
また、リリース弁室１５ｃは、機能を十分に確保できる弁押圧体１５ｈの大きさとするように、リリース穴１５ａより大径とする。
【００２９】
リリース弁室１５ｃには、圧縮室１１内の圧力が吐出圧室２ｆの設定圧力を超えたると開き、圧縮室１１内のガスや流体を吐出圧室２ｆに逃がすリリース弁１５ｄが配設される。リリース穴１５ａのリリース弁室１５ｃ側であってリリース穴１５ａとリリース弁室１５ｃとの境界面上に設けられた円環状の弁シート１５ｂには、円盤状のばね鋼板等で成形されたリリース弁１５ｄが当接するように配置される。
【００３０】
リリース弁１５ｄの上部には、ガイド部を構成するガイド部材１５ｆと弾性部を構成する弾性部材１５ｅとから構成される弁押圧体１５ｈが配置される。弁押圧体１５ｈは、焼結金属等で成形されたガイド部材１５ｆの一部に、弾性部材１５ｅの一端を圧入等で一体に組み合わせて構成される。
【００３１】
リリース流路１５ｉは上下方向に形成され、リリース弁１５ｄは弁押圧体１５ｈの荷重と弾性部材１５ｅの弾性押圧力を受けるように構成される。設定圧力（吐出圧力＋リリース弁１５ｄの重量＋弾性部材１５ｅの弾性押圧力）以上に過圧縮されると、リリース弁１５ｄが開く。本実施例に示す各部材の重量は、例えば、リリース弁１５ｄが約０.０６ｇ、弾性部材１５ｅが約０.１２ｇ、ガイド部材１５ｆが約２.４８ｇとすることができる。この場合、弾性押圧力を含めた作動圧力は合計で約３ｋＰａ程度であり、例えば、ＨＦＣ（ハイドロフルオロカーボン）４１０Ａ混合冷媒（ＨＦＣ３２＋ＨＦＣ１２５）の場合、圧縮室１１内での旋回スクロール６の回転に伴う圧力上昇は１〜３ＭＰａ程度である。従って、圧縮室１１の圧力上昇に対してリリース弁１５ｄの作動圧力は極僅かである。
【００３２】
ガイド部材１５ｆは円柱体で成形される。ガイド部材１５ｆ、その外径がリリース弁室１５ｃの内径より若干小さく構成され、リリース弁室１５ｃ内を上下方向に移動することができる。ガイド部材１５ｆの中央部には逃がし穴１５ｇが形成されるとともに、逃がし穴１５ｇの周囲には複数の逃がし穴１５Ｌが形成される。また、ガイド部材が必要以上にリリース穴側に近づくことを規制するために、リリース弁室１５ｃを２段形状とする。このリリース弁室１５ｃのガイド部材１５ｆが上下に移動可能な深さは、ガイド部材１５ｆの外周側の厚みに対してわずかに深く設計されており、弾性部材１５ｅの弾性押圧力によりリテーナ１６に対して、押し付けられる構造としている。このガイド部材１５ｆは従来のブッシュと類似構造であるため、生産設備を利用することができると共に、ガイド部材１５ｆから作動流体を逃がす性能を従来と同様に確保することができる。鉄系焼結合金，アルミ合金、又は樹脂でガイド部材１５ｆを形成することで、細かな形状でも安価に製作できる。
【００３３】
弾性部材１５ｅはコイルばねであり、ガイド部材１５ｆに装着され、ガイド部材１５ｆと一緒に移動する。また、弾性部材１５ｅを構成するコイルばねの両端に密着巻き部を設ける。コイルばねの両端を密着巻き部とすることで、ガイド部材１５ｆとの組立時にコイルばねの組付け方向が一方向だけではないので組立性が良い。また、密着巻き部によりガイド部材１５ｆから外れ難くなり、安価な構造で組立性を向上し、コイルばねの外れを防止することができる。
【００３４】
リリース弁１５ｄがリリース流路１５ｉを閉じた状態及びリリース弁１５ｄがリリース流路１５ｉを開いた状態の何れの状態においても、弾性部材１５ｅによる弾性押圧力によりガイド部材１５ｆ（弁押圧体１５ｈ）がリテーナ１６に押し付けられるように構成される。ガイド部材１５ｆ（弁押圧体１５ｈ）がリテーナ１６に押し付けられる状態とは、ガイド部材１５ｆ（弁押圧体１５ｈ）がリテーナ１６と接触している状態である。これは弾性部材１５ｅ（弁押圧体１５ｈ）にリテーナ１６からの反力が加わっている状態である。
【００３５】
リテーナ１６はガスや液体の逃がし穴１６ａを有し、固定スクロール５の台板５ｄの上方に台板５ｄの上面とボルト１８等によって取り付けられる。図７に示すように、固定スクロール５の台板５ｄの上方と台板５ｄの上面との間には隙間があってもよい。複数箇所に設けられたリリース弁装置１５に対するリテーナ１６は一つの部材で成形されており、鋼板のプレス成形により加工する。
【００３６】
図７はリテーナの窒化処理の説明図（リテーナ１６にガス軟窒化処理を施した際の表面近傍の断面図）である。図７に示すように、少なくとも弁押圧体１５ｈと接触する部位にガス軟窒化処理を施してもよい。リテーナ１６の表面近傍に、窒素の拡散層及び化合物層から成る窒化処理層１６ｂを形成する。この窒化処理層１６ｂにより、リテーナ１６の表面硬度が増加し、信頼性を向上できる。
【００３７】
このような構成のスクロール圧縮機において、電動機４の回転駆動により旋回スクロール６が旋回運動すると、冷媒ガスが吸入口２ｄから吸込み室１０，圧縮室１１と導かれ、圧縮されたガスが固定スクロール５の吐出口５ｅから吐出圧室２ｆに排出される。その後、更に、密閉容器２の排出口２ｅから、ルームエアコン等の冷凍サイクルの配管に排出される。
【００３８】
冷媒ガスが圧縮される過程で圧縮室１１内の圧力が設定圧力（吐出圧力＋リリース弁１５ｄの重量＋弾性部材１５ｅの弾性押圧力）以下の通常の運転時には、圧縮室１１の圧力よりも吐出圧室２ｆの圧力の方が高いため、その圧力差によりリリース弁１５ｄが弁シート１５ｂに当接されてリリース穴１５ａが閉路する（図３参照）。リリース弁１５ｄの上面に差圧が加えられている間は、リリース穴１５ａの閉路が継続される。従って、通常運転時には、リリース弁装置１５から作動流体が吐出圧室２ｆに吐出されない。
【００３９】
一方、エアコン等の運転状況により、冷媒ガスや液冷媒，潤滑油が圧縮される過程で圧縮室１１内の圧力が設定圧力を超えると（過圧縮による運転時）、圧縮室１１の圧力が吐出圧室２ｆの圧力より高くなり、その圧力差によりリリース弁１５ｄが弁シート１５ｂから離れてリリース穴１５ａが開路する（図４参照）。このリリース弁１５ｄの移動に伴って、弾性部材１５ｅがリリース弁１５ｄによって押圧されて圧縮される。リリース穴１５ａの開路によりリリース穴１５ａを通り抜けた圧縮室１１内の作動流体は、図４の白枠矢印のように、弁シート１５ｂとリリース弁１５ｄとの間の弁シート通路１５ｎを経て、リリース弁１５ｄとリリース弁室１５ｃ内壁との間のリリース弁まわり１５ｊを通り抜けて、リリース弁１５ｄの吐出圧室２ｆ側に至る。その後、作動流体は、ガイド部材１５ｆに設けられた逃がし穴１５ｇ，１５Ｌ及びリテーナ１６の逃がし穴１６ａを通り、過圧縮状態の作動流体は吐出圧室２ｆ内へ吐出される。このようなリリース弁装置により、過圧縮損失やスクロールのラップの損傷を防止できる。
【００４０】
この過圧縮運転状態において、旋回スクロールの回転に伴って、吐出圧力以下の圧力の圧縮室１１がその後のリリース穴１５ａに連通することとなり、圧縮室１１の圧力が吐出圧室２ｆの圧力より低くなり、その差圧力と共に弾性部材１５ｅの弾性押圧力によりリリース弁２９ｅが瞬時に閉じる。このように、過圧縮運転時には、図４と図３に示す状態が繰り返される。
【００４１】
ここで、リリース弁１５ｄがリリース流路１５ｉを閉じた状態及びリリース弁１５ｄがリリース流路１５ｉを開いた状態の何れの状態においても、弾性部材１５ｅによる弾性押圧力によりガイド部材１５ｆ（弁押圧体１５ｈ）がリテーナ１６に押し付けられるように構成されるので、圧縮機構部の圧入変形を抑制できると共に、ガイド部材１５ｆ（弁押圧体１５ｈ）のリテーナ１６への衝突を生じないので、衝突によるリテーナ及び弁押圧体の変形や衝突音を抑制して、スクロール圧縮機の性能及び信頼性を高めることができる。
【００４２】
以上説明したように、本実施例におけるスクロール圧縮機１では、従来公知圧縮機でみられたリリース弁装置を設置した際の弁押圧体の圧入による固定スクロールへの変形を抑制することができ、更に弁押圧体を弾性部材によりリテーナに対して押し付ける構造とすることにより、運転時の弁押圧体とリテーナの摺動による衝突音を低減するとともに、衝突によるリテーナや弁押圧体の変形を抑制して、性能及び信頼性を高めることができる。
【符号の説明】
【００４３】
１  スクロール圧縮機
２  密閉容器
２ａ  ケース
２ｂ  蓋チャンバ
２ｃ  底チャンバ
２ｄ，５ａ  吸入口
２ｅ  排出口
２ｆ  吐出圧室
３  圧縮機構部
４  電動機
４ａ  固定子
４ｂ  回転子
５  固定スクロール
５ｂ  ガス通路
５ｃ，６ａ  ラップ
５ｄ  台板
５ｅ  吐出口
６  旋回スクロール
７  クランク軸
７ａ  主軸
７ｂ  偏心部
７ｃ  給油通路
８  ボルト
９  フレーム
９ａ  主軸受
１０  吸込み室
１１  圧縮室
１２  オルダムリング
１３  潤滑油
１４  中間圧室
１５  リリース弁装置
１５ａ  リリース穴
１５ｂ  弁シート
１５ｃ  リリース弁室
１５ｄ  リリース弁
１５ｅ  弾性部材
１５ｆ  ガイド部材
１５ｇ，１５Ｌ，１６ａ  逃がし穴
１５ｈ  弁押圧体
１５ｉ  リリース流路
１５ｊ  リリース弁まわり
１５ｎ  弁シート通路
１５ｍ  逃がし通路
１６  リテーナ
１６ｂ  窒化処理層
【図１】
0005463330.tif 000002
【図２】
0005463330.tif 000003
【図３】
0005463330.tif 000004
【図４】
0005463330.tif 000005
【図５】
0005463330.tif 000006
【図６】
0005463330.tif 000007
【図７】
0005463330.tif 000008